(57)【特許請求の範囲】
【請求項１】
ＣＤＭＡ（Code Division Multiple Access）方式により基地局と無線通信するもので、異なる無線ゾーンをそれぞれ形成する複数の基地局から複数の通信路を通じてレイク受信を行うことが可能な移動無線端末において、
基地局から、複数の無線ゾーンにそれぞれ予め割り当てられた優先度を示す情報を取得する優先度情報取得手段と、
この優先度情報取得手段にて得られた各無線ゾーンの優先度に応じて、各無線ゾーン毎に候補パス数を決定する候補パス数決定手段と、
各無線ゾーンから無線信号を受信して、各無線ゾーン毎に前記候補パス数決定手段が決定した候補パス数だけ、受信に適したパスを検出するパス検出手段と、
このパス検出手段にて検出したパスの情報を記憶する記憶手段と、
この記憶手段が記憶するパスの情報に基づいて、レイク受信を行う受信手段とを具備することを特徴とする移動無線端末。
【請求項２】
複数の無線ゾーンからの無線信号を受信して、その受信レベルをそれぞれ検出する受信レベル検出手段を備え、
前記候補パス数決定手段は、前記優先度情報取得手段にて得られた各無線ゾーンの優先度と、前記受信レベル検出手段にて得られた各無線ゾーンの受信レベルとに応じて、各無線ゾーン毎に候補パス数を決定することを特徴とする請求項１に記載の移動無線端末。
【請求項３】
ＣＤＭＡ（Code Division Multiple Access）方式により基地局と無線通信するもので、異なる無線ゾーンをそれぞれ形成する複数の基地局から複数の通信路を通じてレイク受信を行うことが可能な移動無線端末において、
複数の無線ゾーンからの無線信号を受信して、その受信レベルをそれぞれ検出する受信レベル検出手段と、
この受信レベル検出手段にて得られた各無線ゾーンの受信レベルに応じて、各無線ゾーン毎に候補パス数を決定する候補パス数決定手段と、
各無線ゾーンから無線信号を受信して、各無線ゾーン毎に前記候補パス数決定手段が決定した候補パス数だけ、受信に適したパスを検出するパス検出手段と、
このパス検出手段にて検出したパスの情報を記憶する記憶手段と、
この記憶手段が記憶するパスの情報に基づいて、レイク受信を行う受信手段とを具備することを特徴とする移動無線端末。
【発明の詳細な説明】
【０００１】
【発明の属する技術分野】
この発明は、ＣＤＭＡ（Code Division Multiple Access）方式を採用した自動車電話システムや携帯電話システムなどの移動無線通信システムに用いられる移動無線端末に関する。
【０００２】
【従来の技術】
周知のように、ＣＤＭＡ方式を採用した自動車電話システムや携帯電話システムなどの移動無線通信システムでは、通信エリアをセルと呼ぶ、半径が数百ｍから数キロｍ単位のエリアで分割して形成している。そして、基地局が自局の属するセルに隣接するセル（以下、隣接セルと称する）に関する情報を、移動局に報知するようにしている。
【０００３】
この情報には、移動局が各隣接セルからの無線信号を受信するのに必要な拡散信号の識別情報と、各隣接セルについて、移動局が接続対象とする優先度を示す情報が含まれている。
【０００４】
これに対して、移動局は、基地局から報知される上記情報に基づいて、現在位置しているセル（以下、滞在セルと称する）、および隣接セルについてパスサーチを行い、セル毎に通信に適したパスを１６個ずつ検出して記憶部に記録しておき、この記録したパスのうち、優先度の高いセルのパスを優先的に用いて通信するようにしている。
【０００５】
しかしながら、優先度の低いセルは、有効なパスが少ないばかりか、通信に用いられる可能性が低いにもかかわらず、滞在セルと同じ数だけのパスの情報を記憶部に記録するため、利用価値の低いパスの情報によって記憶部の記憶容量が消費されてしまうという問題があった。
【０００６】
また、移動局は、各セルのパス情報を定期的に更新するようにしているが、上述したように、利用価値の低いパスについても更新処理を実行するため、制御部に対して不要な負荷がかけられており、電力浪費の一因となっていた。
【０００７】
【発明が解決しようとする課題】
従来の移動無線端末では、利用価値の低いパスについても、その情報を保持および更新するようにしているため、記憶部の記憶容量や消費電力を浪費するという問題があった。
この発明は上記の問題を解決すべくなされたもので、記憶部の記憶容量や消費電力の浪費を防止することが可能な移動無線端末を提供することを目的とする。
【０００８】
【課題を解決するための手段】
上記の目的を達成するために、請求項１に係わる本発明は、ＣＤＭＡ方式により基地局と無線通信するもので、異なる無線ゾーンをそれぞれ形成する複数の基地局から複数の通信路を通じてレイク受信を行うことが可能な移動無線端末において、基地局から、複数の無線ゾーンにそれぞれ予め割り当てられた優先度を示す情報を取得する優先度情報取得手段と、この優先度情報取得手段にて得られた各無線ゾーンの優先度に応じて、各無線ゾーン毎に候補パス数を決定する候補パス数決定手段と、各無線ゾーンから無線信号を受信して、各無線ゾーン毎に前記候補パス数決定手段が決定した候補パス数だけ、受信に適したパスを検出するパス検出手段と、このパス検出手段にて検出したパスの情報を記憶する記憶手段と、この記憶手段が記憶するパスの情報に基づいて、レイク受信を行う受信手段とを具備して構成するようにした。
【０００９】
上記構成の移動無線端末では、受信するパスの候補を求めるにあたり、複数の無線ゾーンにそれぞれ予め割り当てられた優先度に応じて、各無線ゾーン毎に決定した候補パス数だけ上記パスの候補を求めて保持するようにしている。
【００１０】
したがって、上記構成の移動無線端末によれば、優先度に応じた数だけ各無線ゾーンのパスの候補が保持されるので、不必要に多くのパスの候補を検出したり保持することが防止でき、記憶手段の記憶容量を節約できるとともに、不要な処理が省け、消費電力を軽減することができる。
【００１１】
また、上記の目的を達成するために、請求項３に係わる本発明は、ＣＤＭＡ方式により基地局と無線通信するもので、異なる無線ゾーンをそれぞれ形成する複数の基地局から複数の通信路を通じてレイク受信を行うことが可能な移動無線端末において、複数の無線ゾーンからの無線信号を受信して、その受信レベルをそれぞれ検出する受信レベル検出手段と、この受信レベル検出手段にて得られた各無線ゾーンの受信レベルに応じて、各無線ゾーン毎に候補パス数を決定する候補パス数決定手段と、各無線ゾーンから無線信号を受信して、各無線ゾーン毎に前記候補パス数決定手段が決定した候補パス数だけ、受信に適したパスを検出するパス検出手段と、このパス検出手段にて検出したパスの情報を記憶する記憶手段と、この記憶手段が記憶するパスの情報に基づいて、レイク受信を行う受信手段とを具備して構成するようにした。
【００１２】
上記構成の移動無線端末では、受信するパスの候補を求めるにあたり、各無線ゾーンの受信電力レベルに応じて各無線ゾーン毎に決定した候補パス数だけ上記パスの候補を求めて保持するようにしている。
【００１３】
したがって、上記構成の移動無線端末によれば、各無線ゾーンの受信電力レベルに応じた数だけ各無線ゾーンのパスの候補が保持されるので、不必要に多くのパスの候補を検出したり保持することが防止でき、記憶手段の記憶容量を節約できるとともに、不要な処理が省け、消費電力を軽減することができる。
【００１４】
【発明の実施の形態】
以下、図面を参照しながら本実施例について説明する。
図１は、この発明の一実施形態に係わるＣＤＭＡ方式の移動無線端末装置の構成を示すもので、特にここでは、当該発明に係わる受信系を中心に説明する。
【００１５】
送信装置１２では、ディジタル化された音声やデータなどの送信データを、ＰＳＫ（Phase Shift Keying）変調などのディジタル変調方式により変調して、この変調されたデータを拡散符号を用いて拡散し、広帯域のベースバンド信号に変換する。
【００１６】
そして、送信装置１２では、上記拡散されたベースバンド信号を無線周波数の信号にアップコンバートして、共用器１１を通じてアンテナ１０に入力する。この入力された無線周波数の信号は、アンテナ１０より空間に放射され、移動通信網に収容される基地局ＢＳに向け送信される。
【００１７】
一方、上記基地局ＢＳより送信された無線信号は、アンテナ１０にて受信されて、共用器１１を通じて受信装置１３に入力される。受信装置１３は無線回路１４と、中間周波数回路１５と、ＲＡＫＥ（レイク）受信機１６とからなる。
【００１８】
無線回路１４では、共用器１１から受信した無線信号が減衰器１４ａに入力され、ここで、予め設定した量だけ減衰される。減衰器１４ａを通過した信号は、増幅器１４ｂで所定のレベルまで増幅された後、ミキサ１４ｃにて周波数シンセサイザ１４ｂにて生成された局部発振信号とミキシングされて、中間周波数にダウンコンバートされる。
【００１９】
この中間周波数にダウンコンバートされた信号は、中間周波回路１５に入力され、増幅器１５ａにて所定のレベルまで増幅される。この増幅結果は、バンドパスフィルタ（ＢＰＦ）１５ｂに入力され、ここより所望の帯域のみか通過して、ミキサ１５ｃに入力される。
【００２０】
ミキサ１５ｃでは、バンドパスフィルタ１５ｂを通過した信号が、周波数シンセサイザ１５ｄにて生成される信号とミキシングされて、ベースバンド信号に変換される。このベースバンド信号は、Ａ／Ｄ変換器（Ａ／Ｄ）１５ｅにてディジタル信号に変換され、ＲＡＫＥ受信機１６に入力される。
【００２１】
ＲＡＫＥ受信機１６は、サーチャ１６ａと、フィンガ１６ｂ、１６ｃ、１６ｄとシンボル合成機１６ｅとからなり、上記ディジタル信号は、サーチャ１６ａと、フィンガ１６ｂ、１６ｃ、１６ｄにそれそれ入力される。
【００２２】
サーチャ１６ａは、制御部１００の指示に基づいて、上記ディジタル信号に対して、種々の拡散符号を用いた逆拡散処理を施し、基地局から自端末宛てに複数の経路（パス）で到来する信号、いわゆるマルチパスを検出する処理を行うもので、この検出したパスの受信電力レベルや受信タイミング（逆拡散タイミング）を求め、制御部１００に通知する。
【００２３】
フィンガ１６ｂ、１６ｃ、１６ｄは、制御部１００によって割当てられた逆拡散タイミングで、送信側で拡散に用いたものと同じ拡散符号を用いて上記ディジタル信号に逆拡散処理を施す。
【００２４】
シンボル合成器１６ｅは、フィンガ１６ｂ、１６ｃ、１６ｄにてそれそれ逆拡散されたマルチパス成分を、各フィンガ１６ｂ、１６ｃ、１６ｄに割当てられた逆拡散タイミングを考慮してシンボル合成する。
【００２５】
シンボル合成器１６ｅにてシンボル合成された信号は、後段の信号処理部１７にて、送信側のディジタル変調に対応する復調処理が施され、受信データが再生される。
【００２６】
制御部１００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するもので、例えばフィンガ１６ｂ、１６ｃ、１６ｄで受信対象とする可能性のあるパス（以下、候補パスと称する）の管理に関する制御を行う。
【００２７】
この候補パスの管理に係わる制御において、制御部１００は、ハンドオーバに備えて、定期的に複数の候補パスを検出して後述するパステーブル記憶エリア２００ａに記録しておき、必要に応じてフィンガ１６ｂ、１６ｃ、１６ｄに割り当てるパスを更新するが、新たな制御機能として、候補パスの保持数を制御する機能を備える。
【００２８】
この新たな機能において、制御部１００は、信号処理部１７にて再生された受信データからセル情報を取り出す。このセル情報は、滞在セルから送信されるもので、滞在セルやその近隣のセルからの信号を受信するために用いる拡散符号の識別情報や、これらのセルに割り当てられた優先順位を示す情報が含まれる。
【００２９】
そして、制御部１００は、サーチャ１６ａを制御して、各セル毎に、それぞれ割り当てられた優先順位および対象セルからの受信電力に応じて、候補パスの保持数を決定する。
【００３０】
記憶部２００は、ＲＯＭおよびＲＡＭなどの記憶媒体であって、ユーザが任意に記憶可能な電話帳データをはじめとする種々の情報を記憶するエリアを有する他に、上記パステーブル記憶エリア２００ａを有する。
【００３１】
パステーブル記憶エリア２００ａは、制御部１００により情報が読み書きされ、図２に示すようにセル毎の情報を記憶している。この情報は、通信に用いられる拡散符号の種類、当該移動無線端末装置が通信に用いているセルか否かを示すＳｔａｔｕｓ情報、Ｃａｒｒｉｅｒ  ＲＳＳＩ、当該セルとのパスに関するパス情報とからなる。
【００３２】
このパス情報は、滞在セルの基地局から通知されたセルの優先順位に応じて、制御部１００が決定した候補パス数と、サーチャ１６ａによって検出された複数の候補パスのそれぞれの平均化状態情報からなる。
【００３３】
また平均化状態情報は、対応するパスの受信品質（例えばＲＳＣＰ、ＲｘＡＧＣなど）の平均結果と、フィンガ１６ｂ、１６ｃ、１６ｄのいずれかにて受信が行われているか否かを示す受信パスフラグとからなる。
【００３４】
なお、図１において図示は省略しているが、本装置の構成要素として、上述した各部を動作させるための電力を供給し、繰り返し充放電可能なバッテリを有する電源部が存在する。
【００３５】
次に、上記構成の移動無線端末装置の動作について説明する。なお、以下の説明では、フィンガ１６ｂ、１６ｃ、１６ｄで受信対象とする可能性のある候補パスの保持数を制御する処理について説明する。また、以下の説明では、セルの配置が図３に示すような状態にある場合を例に挙げて説明する。
【００３６】
この図に示すように、当該移動無線端末装置は、セルＡを滞在セルとしており、セルＡの基地局の近隣のセルとして隣接セルＢ、Ｃ、Ｄ、およびセルＥ、Ｆ、Ｇ、Ｈ、Ｉ、Ｊが存在し、滞在セルＡの優先度が最も高く、その他のセルには滞在セルＡに近いほど高い優先度が設定されている。
【００３７】
なお、図３では、優先度が高いものほど、大きな値で優先度を示し、最大値を「７」とし、最小値を「１」としている。この図には示さないが、優先度「０」は、監視対象外のセルを示す。
【００３８】
また、セルＡの基地局が、セル内に滞在する移動無線端末装置に宛てて、上述のセル情報を送信しており、制御部１００はこの情報を取得すると、セル毎に情報を整理してパステーブル記憶エリア２００ａに記録する。
【００３９】
図４は、候補パスの保持数を制御する処理を説明するためのフローチャートで、この制御は制御部１００により実施され、電源が投入されると、電源が切られるまで繰り返し実行される。
【００４０】
まずステップ４ａでは、滞在セルＡから通知されたセル情報に含まれる優先度に基づいて、滞在セルＡおよび近隣のセルＢ、Ｃ、Ｄ、Ｅ、Ｆ、Ｇ、Ｈ、Ｉ、Ｊ、それぞれについて、検出する候補パスの数を決定する処理を行う。
【００４１】
図５は、この処理を説明するためのフローチャートで、この処理は、上記各セル毎に実施される。ここで、一旦、図５を参照し、この処理について説明する。
ステップ５ａでは、処理対象となるセルの優先度をパステーブル記憶エリア２００ａから検出し、ステップ５ｂに移行する。
【００４２】
ステップ５ｂでは、ステップ５ａにて検出した優先度が中央値「４」以下か否かを判定する。ここで、優先度が「４」以下の場合には、ステップ５ｃに移行し、一方、優先度が「５」以上の場合には、ステップ５ｄに移行する。
【００４３】
ステップ５ｃでは、処理対象のセルに対応するパステーブル記憶エリア２００ａのエリアの「候補パス数」に「４」を記録し当該処理を終了する。
ステップ５ｄでは、処理対象のセルに対応するパステーブル記憶エリア２００ａのエリアの「候補パス数」に「１６」を記録し当該処理を終了する。
以上のように、各セルについて、図５に示した処理が完了すると、ステップ４ｂに移行する。
【００４４】
再び、図４を参照して説明する。
ステップ４ｂでは、ステップ４ａの処理にて、候補パス数として「１６」が記録されたセルについて、このセルの全受信電力に基づいて、上記「候補パス数」の見直す処理を行う。
【００４５】
図６は、この処理を説明するためのフローチャートで、この処理は、ステップ４ａの処理にて、候補パス数として「１６」が設定されたすべてのセルについてそれぞれ実施される。ここで、一旦、図６を参照し、この処理について説明する。
【００４６】
ステップ６ａでは、サーチャ１６ａを制御して、処理対象のセルの全受信電力のレベルを検出し、ステップ６ｂに移行する。なお、このレベルは、上記セルに割り当てられた拡散符号を用いて受信信号を逆拡散したときに得られる信号のレベルであり、用いるべき上記拡散符号は、滞在セルＡから通知されたセル情報より識別できる。
【００４７】
ステップ６ｂでは、ステップ６ａで検出した受信電力レベルが閾値ｔｈ＿１６以上か否かを判定する。
ここで、受信電力レベルが閾値ｔｈ＿１６以上の場合には、処理対象のセルに対応するパステーブル記憶エリア２００ａのエリアの「候補パス数」を更新することなく当該処理を終了し、一方、受信電力レベルが閾値ｔｈ＿１６未満の場合には、ステップ６ｃに移行する。
【００４８】
ステップ６ｃでは、ステップ６ａで検出した受信電力レベルが閾値ｔｈ＿１０（＜ｔｈ＿１６）以上か否かを判定する。
ここで、受信電力レベルが閾値ｔｈ＿１０以上の場合には、ステップ６ｄに移行し、一方、受信電力レベルが閾値ｔｈ＿１０未満の場合には、ステップ６ｅに移行する。
【００４９】
ステップ６ｄでは、処理対象のセルに対応するパステーブル記憶エリア２００ａのエリアの「候補パス数」を「１０」に更新し、当該処理を終了する。
【００５０】
ステップ６ｅでは、ステップ６ａで検出した受信電力レベルが閾値ｔｈ＿８（＜ｔｈ＿１０）以上か否かを判定する。
ここで、受信電力レベルが閾値ｔｈ＿８以上の場合には、ステップ６ｆに移行し、一方、受信電力レベルが閾値ｔｈ＿８未満の場合には、ステップ６ｇに移行する。
【００５１】
ステップ６ｆでは、処理対象のセルに対応するパステーブル記憶エリア２００ａのエリアの「候補パス数」を「８」に更新し、当該処理を終了する。
【００５２】
ステップ６ｇでは、ステップ６ａで検出した受信電力レベルが閾値ｔｈ＿６（＜ｔｈ＿８）以上か否かを判定する。
ここで、受信電力レベルが閾値ｔｈ＿６以上の場合には、ステップ６ｈに移行し、一方、受信電力レベルが閾値ｔｈ＿６未満の場合には、処理対象のセルに対応するパステーブル記憶エリア２００ａのエリアの「候補パス数」を更新することなく当該処理を終了する。
【００５３】
ステップ６ｈでは、処理対象のセルに対応するパステーブル記憶エリア２００ａのエリアの「候補パス数」を「６」に更新し、当該処理を終了する。
【００５４】
以上のように、ステップ４ａの処理にて、候補パス数として「１６」が設定されたすべてのセルについて、図６に示した処理が完了すると、当該処理を終了する。
【００５５】
なお、制御部１００は、図５および図６に示した処理に並行し、この処理よりも高い頻度で、ハンドオーバに備えて定期的にセル毎に候補パスを見直す処理を行う。
【００５６】
この処理において制御部１００は、図５および図６に示した処理にて決定した候補パス数だけ、セル毎に候補パスを検出して、この検出した候補パスの情報をパステーブル記憶エリア２００ａに記録し、必要に応じてフィンガ１６ｂ、１６ｃ、１６ｄに割り当てるパスを更新する。
【００５７】
以上のように、上記構成の移動無線端末では、滞在セルＡの基地局から通知される、近隣のセルの優先度の情報に基づいて、この優先度の高いものほど多くの候補パスを保持するようにしている。
【００５８】
したがって、上記構成の移動無線端末によれば、優先度の高いセルほど多くの候補パスを保持するので、優先度が低く受信する可能性の低い候補パスを不必要に多く保持することがなく、保持するのに要する記憶部２００の記憶容量を効率よく利用できる。
また、不必要に多く保持している候補パスを見直す処理も行われないので、制御部１００の負荷も軽減でき、消費電力も軽減できる。
【００５９】
そしてさらに、上記構成の移動無線端末では、上記優先度に基づいて決定した候補パスの保持数を、各セル毎の受信電力レベルに応じて可変するようにしているため、優先度が高くても受信電力レベルの低いセルについては、候補パスの保持数が制限されるので、より効率よく記憶部２００を利用できるとともに、制御部１００の負荷も適正なものとなる。
【００６０】
尚、この発明は上記実施の形態に限定されるものではない。
例えば、上記実施の形態では、優先度が高くても受信電力レベルの低いセルについては、候補パスの保持数を少なく設定するようにしたが、これに代わって例えば、優先度が低くても受信電力レベルの高いセルについては、候補パスの保持数を多く設定するようにしてもよい。
【００６１】
また、受信電力レベルに応じた候補パスの保持数も見直しは、優先度に基づく候補パスの保持数の設定後に行うようにしたが、これに限定されるものではなく、単独で候補パスの保持数の設定を行ってもよく、また優先度に基づく候補パスの保持数の設定に先立って行うようにしてもよい。
その他、この発明の要旨を逸脱しない範囲で種々の変形を施しても同様に実施可能であることはいうまでもない。
【００６２】
【発明の効果】
以上述べたように、この発明では、受信するパスの候補を求めるにあたり、複数の無線ゾーンにそれぞれ予め割り当てられた優先度に応じて、各無線ゾーン毎に決定した候補パス数だけ上記パスの候補を求めて保持するようにしている。
【００６３】
したがって、この発明によれば、各無線ゾーンの優先度に応じた数だけ各無線ゾーンのパスの候補が保持されるので、不必要に多くのパスの候補を検出したり保持することが防止でき、記憶手段の記憶容量を節約できるとともに、不要な処理が省け、消費電力を軽減することが可能な移動無線端末を提供できる。
【００６４】
また、この発明では、受信するパスの候補を求めるにあたり、各無線ゾーンの受信電力レベルに応じて各無線ゾーン毎に決定した候補パス数だけ上記パスの候補を求めて保持するようにしている。
【００６５】
したがって、この発明によれば、各無線ゾーンの受信電力レベルに応じた数だけ各無線ゾーンのパスの候補が保持されるので、不必要に多くのパスの候補を検出したり保持することが防止でき、記憶手段の記憶容量を節約できるとともに、不要な処理が省け、消費電力を軽減することが可能な移動無線端末を提供できる。
【図面の簡単な説明】
【図１】この発明に係わる移動無線端末の一実施形態の構成を示す回路ブロック図。
【図２】図１に示した移動無線端末のパステーブル記憶エリアに記憶される情報を説明するための図。
【図３】図１に示した移動無線端末が用いられる移動無線通信システムのセルの配置の一例を示す図。
【図４】図１に示した移動無線端末の候補パスの保持数を制御する処理を説明するためのフローチャート。
【図５】図４に示した処理を詳細に説明するためのフローチャート。
【図６】図４に示した処理を詳細に説明するためのフローチャート。
【符号の説明】
１０…アンテナ
１１…共用器
１２…送信装置
１３…受信装置
１４…無線回路
１４ａ…減衰器
１４ｂ…増幅器
１４ｃ…ミキサ
１４ｄ…周波数シンセサイザ
１５…中間周波回路
１５ａ…増幅器
１５ｂ…バンドパスフィルタ（ＢＰＦ）
１５ｃ…ミキサ
１５ｄ…周波数シンセサイザ
１５ｅ…Ａ／Ｄ変換器（Ａ／Ｄ）
１６…受信機
１６ａ…サーチャ
１６ｂ，１６ｃ，１６ｄ…フィンガ
１６ｅ…シンボル合成器
１７…信号処理部
１００…制御部
２００…記憶部
２００ａ…パステーブル記憶エリア
【図１】
0004567919.tif 000002
【図２】
0004567919.tif 000003
【図３】
0004567919.tif 000004
【図４】
0004567919.tif 000005
【図５】
0004567919.tif 000006
【図６】
0004567919.tif 000007